【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
電子デバイスであって、
デバイス電子回路と、
前記デバイス電子回路に結合される第1のコイルであって、前記第1のコイルが、トランスミッタデバイスによって生成されたワイヤレス電力場を介して電力をワイヤレス結合させるとともに、前記電力に基づく第1の電流を前記デバイス電子回路に供給するように構成され、前記デバイス電子回路および前記第1のコイルが負荷インピーダンスを有し、前記負荷インピーダンスが負荷リアクタンスを含む、第1のコイルと、
リアクタンス調整回路と、
前記リアクタンス調整回路に結合される第2のコイルであって、前記第2のコイルが、前記電子デバイスから前記トランスミッタデバイスへの反射インピーダンスを制御するように前記トランスミッタデバイスに提示される前記電子デバイスのデバイスリアクタンスを調整するために、前記トランスミッタデバイスによって生成された前記ワイヤレス電力場を介して前記電力をワイヤレス結合させるとともに、前記電力に基づく第2の電流を前記リアクタンス調整回路に供給するように構成され、前記リアクタンス調整回路および前記第2のコイルがタンクインピーダンスを有し、前記タンクインピーダンスがタンクリアクタンスを含み、前記タンクリアクタンスが調整可能であり、デバイスインピーダンスが前記負荷インピーダンスおよび前記タンクインピーダンスを含み、前記デバイスリアクタンスが前記負荷リアクタンスおよび前記タンクリアクタンスを含む、第2のコイルと、
前記タンクリアクタンスを動的に調整するとともに、それに従って前記トランスミッタデバイスの規定されたリアクタンス範囲内に前記デバイスリアクタンスを維持するために前記デバイスリアクタンスを動的に調整するように構成される、前記リアクタンス調整回路に結合される制御回路と
を備える、電子デバイス。
【請求項２】
前記制御回路が、前記トランスミッタデバイスから制御信号を受信するとともに、前記制御信号に応答して前記タンクリアクタンスを動的に調整するように構成される、請求項1に記載の電子デバイス。
【請求項３】
前記制御回路が、前記デバイス電子回路に供給される前記電力の整流電圧を動的に調整するために、前記タンクリアクタンスを動的に調整するように構成される、請求項1に記載の電子デバイス。
【請求項４】
前記整流電圧を感知するとともに、電圧測定値信号を前記制御回路に提供するように構成される、前記デバイス電子回路に結合される電圧センサをさらに備え、前記制御回路が、前記電圧測定値信号を受信するとともに、前記電圧測定値信号に応答して前記タンクリアクタンスを動的に調整するように構成される、請求項3に記載の電子デバイス。
【請求項５】
前記トランスミッタデバイスの共振周波数に整合するように前記電子デバイスの共振周波数を調整するために、前記タンクリアクタンスを調整するように構成される、前記リアクタンス調整回路に結合される共振整合回路をさらに備え、
前記制御回路が、前記規定された範囲の外で前記共振整合回路が前記デバイスリアクタンスを調整するとき、前記共振整合回路を非活動化させるように構成される、
請求項1に記載の電子デバイス。
【請求項６】
前記デバイス電子回路に供給される前記電力の整流電圧を検出するように構成される電圧センサをさらに備え、前記制御回路が、前記整流電圧に基づいて前記タンクリアクタンスを動的に調整するように構成される、請求項1に記載の電子デバイス。
【請求項７】
前記リアクタンス調整回路が、
複数のキャパシタと、
前記制御回路から制御信号を受信するとともに、前記制御信号に応答して前記複数のキャパシタのうちの少なくとも1つを選択的に接続するように構成される、前記複数のキャパシタに結合される複数のスイッチと
を備える、請求項1に記載の電子デバイス。
【請求項８】
前記リアクタンス調整回路が、
複数の抵抗器と、
前記制御回路から制御信号を受信するとともに、前記制御信号に応答して前記複数の抵抗器のうちの少なくとも1つを選択的に接続するように構成される、前記複数の抵抗器に結合される複数のスイッチと
を備える、請求項1に記載の電子デバイス。
【請求項９】
前記リアクタンス調整回路が、
複数の選択可能なキャパシタンスを有する可変キャパシタを備え、前記可変キャパシタが、前記制御回路から制御信号を受信するとともに、前記制御信号に応答して前記複数の選択可能なキャパシタンスのうちの1つを選択するように構成される、
請求項1に記載の電子デバイス。
【請求項１０】
ワイヤレス充電システムにおいてリアクタンス調整を実行する方法であって、
トランスミッタデバイスによって生成されたワイヤレス電力場を介して、前記トランスミッタデバイスから電子デバイスによって電力をワイヤレスに受信するステップであって、前記電子デバイスが、デバイス電子回路、前記デバイス電子回路に結合される第1のコイル、リアクタンス調整回路、前記リアクタンス調整回路に結合される第2のコイル、および前記リアクタンス調整回路に結合される制御回路を有する、ステップと、
前記電力をワイヤレス結合させるとともに、前記電力に基づく第1の電流を前記デバイス電子回路に前記第1のコイルによって供給するステップであって、前記デバイス電子回路および前記第1のコイルが負荷インピーダンスを有し、前記負荷インピーダンスが負荷リアクタンスを含む、ステップと、
前記電子デバイスから前記トランスミッタデバイスへの反射インピーダンスを制御するように前記トランスミッタデバイスに提示される前記電子デバイスのデバイスリアクタンスを調整するために、前記電力をワイヤレス結合させるとともに、前記電力に基づく第2の電流を前記リアクタンス調整回路に前記第2のコイルによって供給するステップであって、前記リアクタンス調整回路および前記第2のコイルがタンクインピーダンスを有し、前記タンクインピーダンスがタンクリアクタンスを含み、前記タンクリアクタンスが調整可能であり、デバイスインピーダンスが前記負荷インピーダンスおよび前記タンクインピーダンスを含み、前記デバイスリアクタンスが前記負荷リアクタンスおよび前記タンクリアクタンスを含む、ステップと、
前記制御回路によって前記タンクリアクタンスを動的に調整するとともに、それに従って前記トランスミッタデバイスの規定されたリアクタンス範囲内に前記デバイスリアクタンスを維持するために前記デバイスリアクタンスを動的に調整するステップと
を備える、方法。
【請求項１１】
前記電子デバイスが共振整合回路をさらに備え、前記共振整合回路が前記リアクタンス調整回路に結合され、前記方法が、
前記トランスミッタデバイスの共振周波数に整合するように前記電子デバイスの共振周波数を調整するために、前記共振整合回路によって前記タンクリアクタンスを調整するステップと、
前記規定された範囲の外で前記共振整合回路が前記デバイスリアクタンスを調整するとき、前記制御回路によって前記共振整合回路を非活動化させるステップと
をさらに備える、請求項10に記載の方法。
【請求項１２】
トランスミッタコイルを含むトランスミッタデバイスであって、ワイヤレス電力場を生成するように構成される、トランスミッタデバイスと、
電子デバイスであって、
デバイス電子回路と、
前記デバイス電子回路に結合される第1のコイルであって、前記第1のコイルが、前記トランスミッタデバイスによって生成された前記ワイヤレス電力場を介して電力をワイヤレス結合させるとともに、前記電力に基づく第1の電流を前記デバイス電子回路に供給するように構成され、前記デバイス電子回路および前記第1のコイルが負荷インピーダンスを有し、前記負荷インピーダンスが負荷リアクタンスを含む、第1のコイルと、
リアクタンス調整回路と、
前記リアクタンス調整回路に結合される第2のコイルであって、前記第2のコイルが、前記電子デバイスから前記トランスミッタデバイスへの反射インピーダンスを制御するように前記トランスミッタデバイスに提示される前記電子デバイスのデバイスリアクタンスを調整するために、前記トランスミッタデバイスによって生成された前記ワイヤレス電力場を介して前記電力をワイヤレス結合させるとともに、前記電力に基づく第2の電流を前記リアクタンス調整回路に供給するように構成され、前記リアクタンス調整回路および前記第2のコイルがタンクインピーダンスを有し、前記タンクインピーダンスがタンクリアクタンスを含み、前記タンクリアクタンスが調整可能であり、デバイスインピーダンスが前記負荷インピーダンスおよび前記タンクインピーダンスを含み、前記デバイスリアクタンスが前記負荷リアクタンスおよび前記タンクリアクタンスを含む、第2のコイルと、
前記タンクリアクタンスを動的に調整するとともに、それに従って前記トランスミッタデバイスの規定されたリアクタンス範囲内に前記デバイスリアクタンスを維持するために前記デバイスリアクタンスを動的に調整するように構成される、前記リアクタンス調整回路に結合される制御回路と
を備える、システム。
【請求項１３】
前記トランスミッタデバイスがトランスミッタインピーダンスを有し、前記トランスミッタインピーダンスがトランスミッタリアクタンスを含み、前記トランスミッタデバイスが、前記トランスミッタリアクタンスを検出するとともに、制御信号を前記制御回路へ伝送するように構成される、前記トランスミッタコイルに結合されるリアクタンス検出器回路をさらに備え、前記制御回路が、前記制御信号に応答して前記タンクリアクタンスを動的に調整するように構成される、請求項12に記載のシステム。
【請求項１４】
前記トランスミッタデバイスがトランスミッタインピーダンスを有し、前記トランスミッタインピーダンスがトランスミッタリアクタンスを含み、前記トランスミッタデバイスが、
前記トランスミッタリアクタンスを検出するように構成される、前記トランスミッタコイルに結合されるリアクタンス検出器回路と、
前記トランスミッタコイルに結合されるトランスミッタリアクタンス調整回路であって、前記トランスミッタリアクタンス調整回路がトランスミッタタンクリアクタンスを有し、前記トランスミッタリアクタンスが前記トランスミッタタンクリアクタンスを含み、前記トランスミッタタンクリアクタンスが調整可能である、トランスミッタリアクタンス調整回路と、
前記電子デバイスの共振周波数に整合するように前記トランスミッタデバイスの共振周波数を調整するために、前記トランスミッタタンクリアクタンスを調整するように構成される、前記リアクタンス検出器回路および前記トランスミッタリアクタンス調整回路に結合される共振整合回路と
をさらに備え、
前記リアクタンス検出器回路が、前記規定された範囲の外で前記共振整合回路が前記トランスミッタリアクタンスを調整するとき、前記共振整合回路を非活動化させるように構成される、
請求項12に記載のシステム。
【請求項１５】
前記電子デバイスが、
前記トランスミッタデバイスの共振周波数に整合するように前記電子デバイスの共振周波数を調整するために、前記タンクリアクタンスを調整するように構成される、前記リアクタンス調整回路に結合される共振整合回路をさらに備え、
前記制御回路が、前記規定された範囲の外で前記共振整合回路が前記デバイスリアクタンスを調整するとき、前記共振整合回路を非活動化させるように構成される、
請求項12に記載のシステム。